(57)【要約】【課題】  重量増を招来することなく、腕置き部を形成しながら、安定よく腕を載置可能な元竿を提供する。【解決手段】  竿軸線Ｘに沿った姿勢の竿体１の竿尻端に腕置き部３を連設するとともに、腕置き部３の腕置き部分が後方側ほど竿軸線Ｘから離れる傾斜状態に形成され、腕置き部３の腕置き部分が、竿尻端より後方側に向けてループ状に巡らせた枠体３Ａである。【選択図】        図１
2008104421.tif 000002
【特許請求の範囲】
【請求項１】
竿軸線に沿った姿勢の竿体の竿尻端に腕置き部を連設するとともに、前記腕置き部の腕置き部分が後方側ほど竿軸線から離れる傾斜状態に形成されている元竿。
【請求項２】
前記腕置き部の腕置き部分が、前記竿尻端より後方側に向けてループ状に巡らせた枠体である請求項１記載の元竿。
【請求項３】
前記腕置き部の腕置き部分が、竿尻側ほど横幅を広くする平坦面部分に形成してある請求項１記載の元竿。
【発明の詳細な説明】
【技術分野】
【０００１】
本発明は、釣り竿を握った手を支える腕や肘等を載置する腕置き部を備えている元竿に関する。
【背景技術】
【０００２】
リールシートの竿尻側に竿体の外周面から左右一対の棒状体を立設して腕置き部を形成した元竿があった（特許文献１参照）。
【０００３】
【特許文献１】特開２００１−１９７８５０号公報（段落番号〔００１４〕、〔００１５〕及び、図２〜図４）
【発明の開示】
【発明が解決しようとする課題】
【０００４】
上記構成の場合には、竿軸線方向に沿った姿勢の竿体から竿軸線に対して直交する径方向外方に向けて棒状体を延出しているので、竿体に棒状体の重量が加算される状態となっており、竿の軽量化において改善する余地があった。
【０００５】
本発明の目的は、重量増を招来することなく、腕置き部を形成しながら、安定よく腕を載置可能な元竿を提供する点にある。
【課題を解決するための手段】
【０００６】
〔構成〕
請求項１に係る発明の特徴構成は、竿軸線に沿った姿勢の竿体の竿尻端に腕置き部を連設するとともに、前記腕置き部の腕置き部分が後方側ほど竿軸線から離れる傾斜状態に形成されている点にあり、その作用効果は次の通りである。
【０００７】
〔作用効果〕
竿体の竿尻端に腕置き部を連設する構成を採ったので、竿軸線方向において、竿体と腕置き部とが重なることはなく、それだけ、重量増を来たすことを回避できる。
【０００８】
請求項２に係る発明の特徴構成は、請求項１に係る発明において、前記腕置き部の腕置き部分が、前記竿尻端より後方側に向けてループ状に巡らせた枠体である点にあり、その作用効果は次の通りである。
【０００９】
〔作用効果〕
つまり、腕置き部の腕置き部分が、前記竿尻端より後方側に向けてループ状に巡らせた枠体であるので、枠体で腕部分を支持できるとともに、腕部分を枠体が囲む内部空間内に係合することもでき、腕部分を安定して支持することが可能である。
【００１０】
請求項３に係る発明の特徴構成は、請求項１又は２に係る発明において、前記腕置き部の腕置き部分が、竿尻側ほど横幅を広くする平坦面部分に形成してある点にあり、その作用効果は次の通りである。
【００１１】
〔作用効果〕
腕部分と腕置き部とが多少の位置ズレを生じた場合にも、横幅の広い平坦面部分によって支持することができ、支持状態が安定する。
【発明を実施するための最良の形態】
【００１２】
〔第１実施形態〕
船竿等に使用される釣り竿の元竿Ａについて説明する。図１に示すように、竿体１の外周面にリールシート２を形成し、固定フード２Ａと可動フード２ＢとでスピニングリールＳの脚部Ｓａを取り付け固定するとともに、リールシート２を形成している下向き面と竿軸線Ｘを挟んで１８０°反対側の上向き面から両側面に掛けてグリップ部４を形成して、元竿Ａを構成してある。
【００１３】
腕置き部３を構成するに、図１（イ）（ロ）に示すように、リールシート２を備えた竿体１の竿尻端に、腕置き部分としての棒状の枠体３Ａをループ状に形成して、連設固定してある。枠体３Ａは、竿尻側ほど左右の間隔を広くなるように形成してあり、側面視で、竿尻側ほど竿体１の外周面から竿体１の外方側に離間するように、傾斜する状態に構成されている。枠体３Ａの竿尻端に位置する左右横向き部分３ｄには、３箇所に腕パッド３ｂを取り付けて、腕部分を載置した状態でズレ動きのないものに構成してある。
このような枠体３Ａで腕部分を受けることとなるが、枠体３Ａの前後向き部分３ａ、３ａ及び横向き部分３ｄを腕置き面として機能させることとなる。
【００１４】
この実施形態においては、リールシート２をグリップ部４に兼用してある。竿体１の外周面でリールシート２を形成した下向き面とは１８０°反対側の外周面に、緩やかな起伏を呈する曲面４Ｃが形成してあり、リール脚部Ｓａとともにグリップ部４を握る際に、前記した曲面４Ｃが手の掌に密着し、握り感覚、或いは、竿の操作感覚を良好なものにできる。
【００１５】
図１（イ）（ロ）に示すように、曲面４Ｃの表面に粒状の突起ａを散点状に配置して滑り止め機能を持たせてもよい。突起ａとしては、樹脂塗料を固めたもので形成するか、ゴム等の軟質材等で構成してもよい。また、突起ａを配置する構成を示したが、突起ａではなく凹入する穴であってもよい。
【００１６】
以上のような構成により、グリップ部４の握り面と枠体３Ａの左右横向き部分３ｄとを結ぶ仮想線ｂを想定し、その仮想線ｂが竿尻側ほど竿の外周面から離間する斜め姿勢となるように傾斜角αで腕置き部３を設けてある。
【００１７】
このように、竿体１の竿尻端にループ状の枠体３Ａを設けただけの構成によって、作用効果の欄で記載されているものに加えて次ぎのような効果も奏する。つまり、ループ状の枠体３Ａの後端側には他の部材が存在しないので、リールシート２からループ状の枠体３Ａまでの長さを短いものにでき、リールシート２とグリップ部４とを片手で握って竿操作する際に、操作が容易に行える効果を奏する。
【００１８】
〔第２実施形態〕
第１実施形態と異なる点を主として説明する。図２に示すように、リールシート２を備えている竿体１の竿尻端に腕置き部３を連設している。腕置き部３は、竿体１の竿尻端に連設された腕置き部分としての平坦面部分３Ｂとその平坦面部分３Ｂの後端に連設される竿体部分３Ｃとで構成し、平坦面部分３Ｂの腕置き面３ｃを、竿尻側ほど横幅を広くするものに形成するとともに、竿尻端側ほど竿外方側に突出する傾斜角αの傾斜状態に形成してある。このように、腕置き面３ｃを幅広くかつ傾斜面に形成することによって、載置する腕部分の安定性を確保できる。
平坦面部分３Ｂとしては、竿体１と同様に、ガラス繊維等の柔軟性のある強化繊維にエポキシ等の樹脂を含浸させて形成したプリプレグで一体形成してもよく、或いは、アルミ、チタン等の金属板を使用して構成してもよい。
【００１９】
グリップ部４は、リールシート２の形成位置に設けられており、釣り人はリールシート２をスピニングリールＳのリール脚Ｓａとともに握ることによって、竿体１を保持することとしている。従って、リールシート２の部分をグリップ部４に兼用している。
【００２０】
この第２実施形態においては、腕置き部分としての平坦面部分３Ｂの後端に竿体部分３Ｃを連設しているので、リールシート２から元竿の竿尻端までの重量を増加させることになっており、リールシート２から穂先竿までの重量とのバランスを採って持ち重り感を減少させることができる。
【００２１】
〔別実施形態〕
（１）  図示はしていないが、リールシート２を備えていない竿に適用してもよい。
（２）  リールシート２としては、筒状のリールシートではなく、元竿Ａに組付け糸等で取り付ける形態の板状リールシートであってもよい。
【図面の簡単な説明】
【００２２】
【図１】腕置き部分として枠体を配置したものを示し、（イ）元竿の平面図、（ロ）元竿の側面図
【図２】腕置き部分として平坦面部分を有するものを示し、（イ）元竿の平面図、（ロ）元竿の側面図
【符号の説明】
【００２３】
１                竿体
２                リールシート
３                腕置き部
３Ａ              枠体（腕置き部分）
３Ｂ              平坦面部分（腕置き部分）
４                グリップ部
Ｘ                竿軸線
【図１】
2008104421.tif 000003
【図２】
2008104421.tif 000004